(57)【要約】【課題】間仕切り用パネルを現場で簡易に精度よく組み立てることができるとともに、意匠性及び衛生的に優れた間仕切り用パネルの組立構造を提供すること。【解決手段】方立７により形成される隣接するパネル２、３の縦枠１２間の隙間に嵌入される突条部１１と、この突条部１１を挟んで両側に延び、パネル２、３の縦枠１２の外側面に対して密着、固定することによって、パネル２、３の縦枠１２を介して隣接するパネル２、３が一直線上に連窓されるように位置決めする内平面部１０ｂとを備えた連窓方立カバー１０により、隣接するパネル２、３の縦枠１２間の隙間を覆って、隣接するパネル２、３を一直線上に連窓する。【選択図】図１
2006009404.tif 000002
【特許請求の範囲】
【請求項１】
隣接するパネル間を、パネルの縦枠と嵌合する方立を介して連窓する間仕切り用パネルの組立構造において、前記方立により形成される隣接するパネルの縦枠間の隙間に嵌入される突条部と、該突条部を挟んで両側に延び、パネルの縦枠の外側面に対して密着、固定することによって、パネルの縦枠を介して隣接するパネルが一直線上に連窓されるように位置決めする内平面部とを備えた連窓方立カバーにより、隣接するパネルの縦枠間の隙間を覆って、隣接するパネルを一直線上に連窓するようにしたことを特徴とする間仕切り用パネルの組立構造。
【請求項２】
パネルの縦枠と嵌合する方立を介して連窓した隣接するパネルの縦枠間の隙間を覆う間仕切り用パネルの連窓方立カバーにおいて、前記方立により形成される隣接するパネルの縦枠間の隙間に嵌入される突条部と、該突条部を挟んで両側に延び、パネルの縦枠の外側面に対して密着、固定することによって、パネルの縦枠を介して隣接するパネルが一直線上に連窓されるように位置決めする内平面部とを備えたことを特徴とする間仕切り用パネルの連窓方立カバー。
【請求項３】
外側面の平面断面形状を円弧状に形成したことを特徴とする請求項２記載の間仕切り用パネルの連窓方立カバー。
【発明の詳細な説明】
【技術分野】
【０００１】
本発明は、隣接するパネル間を、パネルの縦枠と嵌合する方立を介して連窓する間仕切り用パネルの組立構造及びそれに用いる連窓方立カバーに関するものである。
【背景技術】
【０００２】
従来、間仕切り用パネルは、単位パネル（本明細書において、単に「パネル」という場合がある。）を工場において製作し、これを現地に搬入して設置する方法が採用されている。
その設置要領を、図５〜図６に示す。
【０００３】
この間仕切り用パネル１は、複数の単位パネルを連窓することにより組み立て、設置されるものであるが、各単位パネルは、例えば、出入口を構成する扉４を備えた出入口パネル２と、ガラス戸５及び塞ぎ板６を備えた中間パネル３とからなる。
そして、各単位パネル２、３は、例えば、長さ１８００ｍｍ、高さ２４００ｍｍに形成し、学校の教室と廊下を仕切る場合には、図５に示すように、各単位パネル２、３を２枚ずつ使用するようにする。
これらの各単位パネル２、３は、工場において製作され、現地に搬入後、図６（ｂ）に示すように、隣接するパネル間を、パネルの縦枠１２と嵌合する方立７を介して連窓することにより、建物躯体、例えば、鉄筋コンクリート柱間に組み立てるようにする。
【０００４】
ところで、隣接するパネル間を、パネルの縦枠１２と嵌合する方立７を介して、溶接やタッピングネジ等の締結具によって連窓する場合、精度が出にくく、図６（ａ）、（ｂ）に示すように、隣接するパネルが、基準線Ｌに対して角度αを以て連窓され、間仕切り用パネル１が一直線に配置されずに蛇行したり、図６（ｃ）に示すように、間仕切り用パネル１が床面Ｆに対して角度β傾いて連窓されることがあった。
【０００５】
そして、このような場合には、水平器や垂直器を用いて修正する必要があるが、この修正作業は、例えば、寸法精度を確保するために必要箇所に楔を打ち込み、建物躯体とパネルとを溶接やタッピングネジ等の締結具によって固定し、その後、楔を取り外す手順で行うこととなることから、多大の手間と熟練を要するという問題があった。
【０００６】
また、隣接するパネル間を、パネルの縦枠１２と嵌合する方立７を介して連窓した場合、パネルの縦枠１２間には、２０ｍｍ程度の隙間Ａが生じ、その隙間が美観を損ねるとともに、床面においては塵が溜まり、不衛生になるという問題があった。
【発明の開示】
【発明が解決しようとする課題】
【０００７】
本発明は、上記従来の間仕切り用パネルの有する問題点に鑑み、間仕切り用パネルを現場で簡易に精度よく組み立てることができるとともに、意匠性及び衛生的に優れた間仕切り用パネルの組立構造及びそれに用いる連窓方立カバーを提供することを目的とする。
【課題を解決するための手段】
【０００８】
上記目的を達成するため、本発明の間仕切り用パネルの組立構造は、隣接するパネル間を、パネルの縦枠と嵌合する方立を介して連窓する間仕切り用パネルの組立構造において、前記方立により形成される隣接するパネルの縦枠間の隙間に嵌入される突条部と、該突条部を挟んで両側に延び、パネルの縦枠の外側面に対して密着、固定することによって、パネルの縦枠を介して隣接するパネルが一直線上に連窓されるように位置決めする内平面部とを備えた連窓方立カバーにより、隣接するパネルの縦枠間の隙間を覆って、隣接するパネルを一直線上に連窓するようにしたことを特徴とする。
【０００９】
また、本発明の間仕切り用パネルの組立構造に用いる連窓方立カバーは、パネルの縦枠と嵌合する方立を介して連窓した隣接するパネルの縦枠間の隙間を覆う間仕切り用パネルの連窓方立カバーにおいて、前記方立により形成される隣接するパネルの縦枠間の隙間に嵌入される突条部と、該突条部を挟んで両側に延び、パネルの縦枠の外側面に対して密着、固定することによって、パネルの縦枠を介して隣接するパネルが一直線上に連窓されるように位置決めする内平面部とを備えたことを特徴とする。
【００１０】
この場合において、連窓方立カバーの外側面の平面断面形状を円弧状に形成することができる。
【発明の効果】
【００１１】
本発明の間仕切り用パネルの組立構造及びそれに用いる連窓方立カバーによれば、方立により形成される隣接するパネルの縦枠間の隙間に嵌入される突条部と、該突条部を挟んで両側に延び、パネルの縦枠の外側面に対して密着、固定することによって、パネルの縦枠を介して隣接するパネルが一直線上に連窓されるように位置決めする内平面部とを備えた連窓方立カバーにより、隣接するパネルの縦枠間の隙間を覆うだけで、隣接するパネルを一直線上に連窓することができるとともに、連窓方立カバーが固定されることによってパネルの縦枠の位置におけるパネルの厚み方向の寸法が大きくなるため、間仕切り用パネルを床面に対して垂直に設置することができ、間仕切り用パネルを現場で簡易に精度よく組み立てることができる。
また、隣接するパネルの縦枠間に生じる隙間が連窓方立カバーによって覆われるため、塵が溜まらず、意匠性及び衛生的に優れた間仕切り用パネルとすることができる。
【００１２】
また、連窓方立カバーの外側面の平面断面形状を円弧状に形成することにより、意匠性を一層向上することができるとともに、間仕切り用パネルに角部がなくなり、安全性を向上することができる。
【発明を実施するための最良の形態】
【００１３】
以下、本発明の間仕切り用パネルの組立構造及びそれに用いる連窓方立カバーの実施の形態を、図面に基づいて説明する。
【実施例１】
【００１４】
図１〜図４に、本発明の間仕切り用パネルの組立構造及びそれに用いる連窓方立カバーの一実施例を示す。
この間仕切り用パネルの組立構造は、従来と同様、例えば、出入口を構成する扉４（図５参照）を備えた出入口パネル２やガラス戸５及び塞ぎ板６を備えた中間パネル３からなる複数の単位パネル２、３で構成され、隣接するパネル２、３間を、パネルの縦枠１２と嵌合する方立７を介して連窓するもので、方立７により形成される隣接するパネル２、３の縦枠１２間の隙間に嵌入される突条部１１と、この突条部１１を挟んで両側に延び、パネル２、３の縦枠１２の外側面に対して密着、固定することによって、パネルの縦枠１２を介して隣接するパネル２、３が一直線上に連窓されるように位置決めする内平面部１０ｂとを備えた連窓方立カバー１０により、隣接するパネル２、３の縦枠１２間の隙間を覆って、隣接するパネル２、３を一直線上に連窓するようにしたものである。
【００１５】
連窓方立カバー１０の長さｈ１は、間仕切り用パネル１の各パネル２、３の高さｈ２と略等しい寸法に形成するようにする。
連窓方立カバー１０の突条部１１は、その幅寸法ｍを、方立７により形成される隣接するパネル２、３の縦枠１２間の隙間Ａ（図６（ａ）、（ｂ）参照）に嵌入できるように、隙間寸法ｎよりも若干狭い幅に形成するようにする。
連窓方立カバー１０の外側面１０ａは、平面断面形状を円弧状に形成するようにする。これにより、意匠性を持たせるとともに、間仕切り用パネルに角部をなくし、安全性を向上することができる。
連窓方立カバー１０の外側面１０ａには、連窓方立カバー１０をパネル２、３の縦枠１２の外側面に対して密着、固定するためのタッピングネジ、ボルト等の固着手段１３の頭部が収まる座ぐり穴１０ｃを形成することが好ましい。なお、固着手段には接着剤を用いることもできる。さらに、固着手段の取付位置は、本実施例に示すように、内平面部１０ｂと縦枠１２との間に限らず、突条部１１を部分的に切り欠いて、この切欠部に縦枠１２の側面に係合する固着手段を装着するようにすることもできる。
連窓方立カバー１０の内平面部１０ｂは、パネル２、３の縦枠１２の外側面に対して密着、固定することによって、パネルの縦枠１２を介して隣接するパネル２、３が一直線上に連窓されるように位置決めすることができるように、両側の内平面部１０ｂが同一面内にある平面状に形成する。突条部１１と内平面部１０ｂとは直交（９０°）させている。また、連窓方立カバー１０によって、パネル２、３の縦枠１２が隠れるように、内平面部１０ｂの幅ｗを、パネル２、３の縦枠１２の外側面の幅と略等しい幅寸法に形成するようにすると丸柱のような外観を呈する（意匠性向上）。
この連窓方立カバー１０は、パネル２、３と同じ材質のもので構成することが好ましく、例えば、パネル２、３が木製の場合は、連窓方立カバー１０も同様に木製にすることが好ましい。
【００１６】
この間仕切り用パネル１は、図１に示すように、方立７により形成される隣接するパネル２、３の縦枠１２間の隙間Ａに嵌入される突条部１１と、この突条部１１を挟んで両側に延び、パネル２、３の縦枠１２の外側面に対して、タッピングネジ、ボルト等の固着手段１３によって、密着、固定することによって、パネル２、３の縦枠１２を介して隣接するパネル２、３が一直線上に連窓されるように位置決めする内平面部１０ｂとを備えた連窓方立カバー１０により、隣接するパネル２、３の縦枠１２間の隙間を覆うだけで、図３に示すように、基準線Ｌに対して角度α屈曲した隣接するパネル２、３を矯正して一直線上に連窓することができるとともに、長さｈ１がパネル２、３の高さｈ２と略等しく形成された連窓方立カバー１０が固定されることによって、パネル２、３の縦枠１２の位置におけるパネル２、３の厚み方向の寸法が大きくなるため、間仕切り用パネル１を床面Ｆに対して垂直に設置することができ、間仕切り用パネル１を現場で簡易に精度よく組み立てることができる。
なお、特に限定されるものではないが、図４に示すように、連窓方立カバー１０の下面１０ｄを基準面として、間仕切り用パネル１を床面Ｆに設置することができる。
また、隣接するパネル２、３の縦枠１２間に生じる隙間が連窓方立カバー１０によって覆われるため、塵が溜まらず、意匠性及び衛生的に優れた間仕切り用パネルとすることができる。
【００１７】
なお、この連窓方立カバー１０は、通常は、間仕切り用パネル１に永久的に取り付けておくものであるが、例えば、間仕切り用パネル１を組み立て、躯体側に強固に固定した後、固着手段１３を抜き取ってパネル２、３の縦枠１２から取り外す仮固定型枠的な使用方法も可能である。この場合は、連窓方立カバー１０の外面形状は円弧状でなく平坦なものでもよい。
【００１８】
以上、本発明の間仕切り用パネルの組立構造及びそれに用いる連窓方立カバーについて、その実施例に基づいて説明したが、本発明は上記実施例に記載した構成に限定されるものではなく、その趣旨を逸脱しない範囲において適宜その構成を変更することができるものである。
【産業上の利用可能性】
【００１９】
以上、本発明の間仕切り用パネルの組立構造及びそれに用いる連窓方立カバーは、間仕切り用パネルを現場で簡易に精度よく組み立てることができるとともに、意匠性及び衛生的に優れていることから、学校や病院等の間仕切り用パネルに好適に用いることができる。
【図面の簡単な説明】
【００２０】
【図１】本発明の間仕切り用パネルの連窓方立カバーを組み付けた状態を示す一部を切り欠いた正面図である。
【図２】本発明の間仕切り用パネルの連窓方立カバーを示す斜視図である。
【図３】本発明の間仕切り用パネルの連窓方立カバーをパネルの縦枠に組み付ける要領を示す工程図である。
【図４】本発明の間仕切り用パネルの設置状態を示す側面断面図である。
【図５】従来の間仕切り用パネルを示す正面図である。
【図６】従来の間仕切り用パネルの組立における不具合を示し、（ａ）は各パネルが一直線上に連窓されていない状態を示す平面図、（ｂ）は（ａ）のＡ部拡大図、（ｃ）はパネルが床面に対して傾いて設置された状態を示す側面断面図である。
【符号の説明】
【００２１】
１    間仕切り用パネル
２    パネル
３    パネル
７    方立
１０  連窓方立カバー
１１  突状部
【図１】
2006009404.tif 000003
【図２】
2006009404.tif 000004
【図３】
2006009404.tif 000005
【図４】
2006009404.tif 000006
【図５】
2006009404.tif 000007
【図６】
2006009404.tif 000008